(57)【要約】【課題】この考案は、構成簡易にして、高精度な電磁シールドを実現し得、且つ、簡便にして容易な取扱い操作を実現して使い勝手の向上を図り得るようにすることにある。【解決手段】携帯端末１４と無線接続される無線結合器１３をシールドケース１１内に内装して、このシールドケース１１に対して透過性を有した自在状のシールドメッシュ材１８を配した窓部１２１を形成したシールド蓋１２を開閉自在に設け、シールドケース１１内の無線結合器１３の位置決め部１３１に対して携帯端末１４を装着して、シールド蓋１２を閉じてシールドケース１１内に収容した携帯端末１４を電磁シールドした状態で、該シールド蓋１２の窓部１２１のシールドメッシュ材１８を通して携帯端末１４の表示部１４１及び操作部１４２の視認、その操作部１４２の操作を可能に構成したものである。【選択図】      図１
0003129925.tif 000002
【実用新案登録請求の範囲】
【請求項１】
携帯端末と、
この携帯端末と無線接続される無線結合器及び該無線結合器に接続された外部接続コネクタが設けられた装置本体と、
前記携帯端末及び前記装置本体の無線結合器を電磁シールドする少なくとも前記携帯端末に対向して透過性を有した自在状のシールドメッシュ材が配されるシールド部と、
を具備することを特徴とする携帯端末試験用シールド装置。
【請求項２】
前記装置本体には、前記携帯端末を前記無線結合器に対向して位置決めする位置決め部が設けられる特徴とする請求項１記載の携帯端末試験用シールド装置。
【請求項３】
前記シールド部は、透過性を有した自在状のシールドメッシュ材を袋状に形成したシールド袋で形成され、このシールド袋内に前記携帯端末及び前記無線結合器を収容して電磁シールドすることを特徴とする請求項１又は２記載の携帯端末試験用シールド装置。
【請求項４】
前記シールド袋は、独立に電磁シールドされた複数の収容部が併設されて設けられ、各収容部に前記携帯端末及び前記無線結合器を収容し、収容部毎に独立して電磁シールドすることを特徴とする請求項３記載の携帯端末試験用シールド装置。
【請求項５】
前記シールド部は、
前記装置本体の無線結合器が内部に配され、前記外部接続コネクタが外部に突出して配された前記携帯端末が前記無線結合器に対向して収容配置されるシールドケースと、
このシールドケースに開閉自在に設けられ、前記携帯端末に対向して透過性を有した自在状のシールドメッシュ材を取付けた窓部の設けられたシールド蓋とを備えることを特徴とする請求項１又は２記載の携帯端末試験用シールド装置。
【請求項６】
前記シールド部の透過性を有した自在状のシールドメッシュ材は、樹脂材料に金属メッキが施されていることを特徴とする請求項１乃至５のいずれか記載の携帯端末試験用シールド装置。
【請求項７】
前記無線結合器は、装置本体に着脱自在に設けられることを特徴とする請求項１乃至６のいずれか記載の携帯端末試験用シールド装置。
【考案の詳細な説明】
【技術分野】
【０００１】
この考案は、例えば携帯電話や、携帯型情報機器等の携帯端末の動作試験や電気性能試験等に用いられる携帯端末試験用シールド装置に関する。
【背景技術】
【０００２】
一般に、携帯電話等の携帯端末においては、予め、プロトコル試験等の電気的性能試験が行われて使用に供されている。このような携帯端末の性能試験手段としては、被試験体である携帯端末を、同軸ケーブルを用いて携帯端末テスタにＲＦ接続して、所望の電気的性能を試験する方法が採られていた。
【０００３】
ところが、上記携帯端末試験手段では、アンテナ部分の性能試験を行う場合、空中線接続構成を行うと、実運用中の無線局からの電波をアンテナが受信してしまい、携帯端末のアンテナ部分の試験が不安定となり、高精度な性能試験を実現することが困難となるという問題を有する。
【０００４】
そこで、最近では、無線結合器を配した蓋体が開閉自在に設けられたシールド箱に用いて、このシールド箱内に携帯端末を収容し、この携帯端末を、電磁波をシールドした電磁シールド状態で、無線結合器と空中線接続することにより、無線局からの電波の影響を受けることなく、そのアンテナ部を含む性能試験を行う方法が採用されるようになっている（例えば、特許文献１参照。）。
【特許文献１】特開２０００−９７７９号公報
【考案の開示】
【考案が解決しようとする課題】
【０００５】
しかしながら、上記携帯端末の試験方法では、携帯端末をシールド箱の蓋体を開いてシールド箱内に収容し、蓋体を閉めて電磁シールドした状態で性能試験を行い、収容した携帯端末を操作したり、視認する必要がある場合、蓋体を、再び開いて操作及び視認し、その後、蓋体を閉めて電磁シールドした状態で、性能試験を行わなければならないために、その取扱い操作が非常に面倒で使い勝手が劣るという問題を有する。
【０００６】
この考案は、上記の事情に鑑みてなされたもので、構成簡易にして、高精度な電磁シールドを実現し得、且つ、簡便にして容易な取扱い操作を実現して使い勝手の向上を図り得るようにした携帯端末試験用シールド装置を提供することを目的とする。
【課題を解決するための手段】
【０００７】
この考案は、携帯端末と、この携帯端末と無線接続される無線結合器及び該無線結合器に接続された外部接続コネクタが設けられた装置本体と、前記携帯端末及び前記装置本体の無線結合器を電磁シールドする少なくとも前記携帯端末に対向して透過性を有した自在状のシールドメッシュ材が配されるシールド部とを備えて携帯端末試験用シールド装置を構成した。
【０００８】
上記構成によれば、シールド部は、携帯端末及び装置本体の無線結合器を電磁シールドし、このシールド状態において、そのシールドメッシュ材の部位を通して携帯端末の表示部及び操作部等の視認や、その上から操作部の操作を行い、所望の試験を連続して行うことができる。これにより、試験時における簡便にして容易な取扱い操作が実現され、その使い勝手の向上を図ることができる。
【考案の効果】
【０００９】
以上述べたように、この考案によれば、構成簡易にして、高精度な電磁シールドを実現し得、且つ、簡便にして容易な取扱い操作を実現して使い勝手の向上を図り得るようにした携帯端末試験用シールド装置を提供することができる。
【考案を実施するための最良の形態】
【００１０】
以下、この考案の実施の形態について、図面を参照して詳細に説明する。
【００１１】
図１は、この考案の一実施の形態に係る携帯端末試験用シールド装置の外観構成を示すもので、シールド部１０は、アルミニューム等の金属材料で形成されたシールドケース１１及びシールド蓋１２で形成される。このうちシールド蓋１２は、シールドケース１１の開口に矢印Ａ，Ｂ方向に開閉自在に設けられる。
【００１２】
シールドケース１１内部には、装置本体を構成するカップラーと称する平板状の無線結合器１３が収容配置される。この無線結合器１３上には、位置決め部１３１が設けられ、この位置決め部１３１には、被試験体である携帯電話等の携帯端末１４が装着され、上記無線結合器１３と無線接続される。
【００１３】
無線結合器１３には、上記シールドケース１１の外部に突設配置された外部接続コネクタ１５が電気的に接続される。この外部接続コネクタ１５には、図２に示すように携帯端末テスタ１６が同軸ケーブル１７を介して配線接続され、該携帯端末テスタ１６を用いて上記シールドケース１１内の無線結合器１３の位置決め部１３１に装着された携帯端末１４の動作試験やプロトコル試験等の試験が行われる。
【００１４】
上記シールド蓋１２には、窓部１２１が上記シールドケース１１内の無線結合器１３の位置決め部１３１に対応して形成され、この窓部１２１には、電磁波遮断特性を有したシールドメッシュ材１８が張り付けられて配される。このシールドメッシュ材１８は、例えばナイロン等の樹脂繊維に金属メッキが施されて透過性を有した自在状に形成され、上記シールドケース１１内の無線結合器１３の位置決め部１３１に装着された携帯端末１４の表示部１４１及び操作部１４２に対向される。これにより、シールド蓋１２をシールドケース１１に閉じた状態で、シールド蓋１２の窓部１２１のシールドメッシュ材１８の上からシールドケース１１内に収容した携帯端末１４の操作部１４２の操作及び表示部１４１の視認が実現される。
【００１５】
なお、シールドメッシュ材１８としては、樹脂繊維に金属メッキを施した構成に限るものでなく、例えば金属製のメッシュ材を用いて構成することも可能である。
【００１６】
ここで、上記シールドケース１１及びシールドメッシュ材１８を含むシールド蓋１２は、そのシールド蓋１２をシールドケースに閉じた状態で、３０ｄＢ以上の電磁波遮断特性が得られることが確認されている。
【００１７】
上記構成において、携帯端末１４の電気的性能試験を行う場合には、先ず、シールド蓋１２を矢印Ａ方向に開いた、シールドケース１１のいわゆる開放状態において、先ず、携帯端末１４をシールドケース１１内の無線結合器１３の位置決め部１３１に装着する。
【００１８】
ここで、携帯端末１４は、シールドケース１１内において、無線結合器１３の位置決め部１３１により位置決めされた状態で、無線結合器１３と無線接続される。そして、この無線接続状態において、シールド蓋１２が、矢印Ｂ方向に回動されてシールドケース１１の開口が閉塞され、これら無線結合器１３及び携帯端末１４がシールド部１０により電磁シールドされる。
【００１９】
そして、シールドケース１１の外部接続端子１５には、上記携帯端末テスタ１６が同軸ケーブル１７を介して配線接続され、この携帯端末テスタ１６を用いてシールドケース１１内の無線結合器１３の位置決め部１３１に装着された電気的性能試験等の試験が行われる。ここで、携帯端末１４は、シールド蓋１２をシールドケース１１上に閉じた状態で、例えば試験者がシールド蓋１２の窓部１２１のシールドメッシュ材１８を通してその表示部１４１及び操作部１４２を視認して、その操作部１４２をシールドメッシュ材１８の上から直接的に操作することにより、所望の試験が行われる。
【００２０】
そして、試験終了後、携帯端末１４は、シールド蓋１２を矢印Ａ方向に回動してシールドケース１１の開口を解放し、無線結合器１３の位置決め部１３１から離脱され、ここに、試験が完了される。
【００２１】
このように、上記携帯端末試験用シールド装置は、携帯端末１４と無線接続される無線結合器１３をシールドケース１１内に内装して、このシールドケース１１に対して透過性を有した自在状のシールドメッシュ材１８を配した窓部１２１を形成したシールド蓋１２を開閉自在に設け、シールドケース１１内の無線結合器１３の位置決め部１３１に対して携帯端末１４を装着して、シールド蓋１２を閉じてシールドケース１１内に収容した携帯端末１４を電磁シールドした状態で、該シールド蓋１２の窓部１２１のシールドメッシュ材１８を通して携帯端末１４の表示部１４１及び操作部１４２の視認、その操作部１４２の操作を可能に構成した。
【００２２】
これによれば、携帯端末１４及び無線結合器１３を、シールドケース１１及びシールド蓋１２で、電磁シールドした状態で、そのシールド蓋１２の窓部１２１のシールドメッシュ材１８を通して携帯端末１４の表示部１４１及び操作部１４２を視認すると共に、その操作部１４２を操作して、性能試験等の各種の試験を連続して行うことができることにより、その試験時における簡便にして容易な取扱い操作が可能となり、その使い勝手の向上が図れる。
【００２３】
なお、上記実施の形態では、シールド部１０をシールドケース１１及び窓部１２１にシールドメッシュ材１８を張り付けたシールド蓋１２を開閉自在に配して構成し、シールド蓋１２の窓部１２１のシールドメッシュ材１８を通して携帯端末１４を視認及び操作可能に構成した場合について説明したが、これに限ることなく、その他、上記シールド部１０を、図３、図４及び図５に示すように透過性を有する自在状のシールドメッシュ材を袋状に形成したシールド袋２０，３０，４０を用いて構成してもよく、上記携帯端末１４の着脱操作の容易化の促進が図れて、さらに、有効な効果が期待される。但し、図３乃至図５においては、上記図１及び図２と同一部分について同一符号を付して、その詳細な説明を省略する。
【００２４】
即ち、図３に示す実施の形態においては、透過性を有する自在状のシールドメッシュ材を略袋状に形成したシールド袋２０で構成される。このシールド袋２０の底部には、その内面側に装置本体を構成する、上記位置決め部１３１の設けられた無線結合器１３が配されて、その外面側に上記外部接続コネクタ１５が突設された端子板２１が配されて、この端子板２１がメッシュ袋２０を挟んで上記無線結合器１３に取付けられる。そして、この無線結合器１３には、上記端子板２１に突設される外部接続コネクタ１５が電気的に接続される。
【００２５】
上記構成において、無線結合器１３の位置決め部１３１には、シールド袋２０を、いわゆる捲くり上げた、いわゆる開放状態で、上記携帯端末１４が装着される。続いて、無線結合器１３の位置決め部１３１に装着されて位置決めされた携帯端末１４には、捲くり上げたシールド袋２０が覆うようにかけられ、該シールド袋２０の開口側が、携帯端末１４を含む無線結合器１３を包み込むように折り曲げられて閉塞される。ここで、携帯端末１４は、シールド袋２０内において、上記無線結合器１３と無線接続された状態で電磁シールドされる。
【００２６】
そして、端子板２１の外部接続コネクタ１５には、上記携帯端末テスタ１６が同軸ケーブル１７を介して配線接続され、携帯端末１４をシールド袋２０で電磁シールドした状態で、各種の試験が行われる。ここで、携帯端末１４は、シールド袋２０を通して表示部１４１及び操作部１４２が視認され、その上から操作部１４２を直接的に操作しながら各種の試験が連続的に行われる。
【００２７】
また、図４の実施の形態においては、同様に透過性を有する自在状のシールドメッシュ材を略袋状に形成したシールド袋３０で構成される。このシールド袋３０の底部には、その内面側に、装置本体を構成する例えば金属材料製の取付け板３１が配されて、その外面側に上記外部接続コネクタ１５が突設された端子板３２が配されて、これら取付け板３１及び端子板３２が挟装される。このうち取付け板３１には、アンテナ構造の無線結合器３３が取付けられ、この無線結合器３３には、上記端子板３２に突設される外部接続コネクタ１５が電気的に接続される。
【００２８】
上記構成において、シールド袋３０内には、上記携帯端末１４が、直接的に内装され、その開口側が携帯端末１４を包み込むように折り曲げられて閉塞される。ここで、携帯端末１４は、シールド袋３０内において、上記無線結合器３３に無線接続された状態で電磁シールドされる。
【００２９】
そして、端子板３２の外部接続コネクタ１５には、上記携帯端末テスタ１６が同軸ケーブル１７を介して配線接続され、携帯端末１４をシールド袋３０で電磁シールドした状態で、各種の試験が行われる。この際、携帯端末１４は、シールド袋３０を通して表示部１４１及び操作部１４２が視認され、その上から操作部１４２を直接的に操作しながら各種の試験が連続的に行われる。
【００３０】
また、図５の実施の形態においては、同様に透過性を有する自在状のシールドメッシュ材を略袋状のシールド袋４０で構成される。このシールド袋４０は、上記携帯端末１４の一台が収容可能な複数、例えば四個の収容部４０１が、例えば線材４０２を用いて所定の間隔に縫い込む等の手法により併設されて設けられる。このシールド袋４０の四個の収容部４０１は、それぞれ携帯端末１４が収容されて、それぞれに収容された携帯端末１４を独立に電磁シールドする。
【００３１】
そして、このシールド袋４０の底部には、その内面側に、装置本体を構成する例えば金属材料製の取付け板４１が配されて、その外面側に四個の外部接続コネクタ１５が突設された端子板４２が配され、これら取付け板４１及び端子板４２で挟装される。このうち取付け板４１には、例えばアンテナ構造の無線結合器４３が上記四個の収容部４０１内に位置するように所定の間隔に取付けられる。そして、この四個の無線結合器４３は、上記端子板４２に突設される四個の外部接続コネクタ１５の一つに電気的に接続され、四個の収容部４０１に対応した独立した無線結合構造が形成される。
【００３２】
上記構成において、シールド袋４０には、その各収容部４０１内に上記携帯端末１４が、それぞれ直接的に内装され、その開口側がまとめて、四台の携帯端末１４を包み込むように折り曲げられて閉塞される。ここで、四台の携帯端末１４は、シールド袋４０の収容部４０１内において、各無線結合器４３に無線接続された状態で電磁シールドされる。
【００３３】
そして、端子板４２の各外部接続コネクタ１５には、上記携帯端末テスタ１６が同軸ケーブル１７を介してそれぞれ配線接続され、各携帯端末１４をシールド袋４０の各収容部４０１で電磁シールドした状態で、各種の試験が行われる。ここで、携帯端末１４は、シールド袋４０の収容部４０１を通して表示部１４１及び操作部１４２が視認され、その上から操作部１４２を直接的に操作しながら各種の試験が行われる。
【００３４】
このシールド袋４０には、その四個の収容部４０１の全てに携帯端末１４を収容して試験を行うことなく、そのうちの一つの収容部４０１に携帯端末１４を収容して試験を行う使用形態でも可能である。
【００３５】
なお、この実施の形態においては、シールド袋４０の収容部４０１内にアンテナ構造の無線結合器４３を配して構成した場合について説明したが、これに限ることなく、その他、上記位置決め部１３１を有した平板状の無線結合器１３を、シールド袋４０の収容部４０１内に配するように構成することも可能である。
【００３６】
ここで、上記図３乃至図５に示すシールド袋２０，３０，４０を用いて構成した場合においても、同様に３０ｄＢ以上の電磁波遮断特性が得られることが確認されている。
【００３７】
よって、この考案は、上記実施の形態に限ることなく、その他、実施段階ではその要旨を逸脱しない範囲で種々の変形を実施し得ることが可能である。さらに、上記実施の形態には、種々の段階の考案が含まれており、開示される複数の構成要件における適宜な組合せにより種々の考案が抽出され得る。
【００３８】
例えば実施の形態に示される全構成要件から幾つかの構成要件が削除されても、考案が解決しようとする課題の欄で述べた課題が解決でき、考案の効果で述べられている効果が得られる場合には、この構成要件が削除された構成が考案として抽出され得る。
【図面の簡単な説明】
【００３９】
【図１】この考案の一実施の形態に係る携帯端末試験用シールド装置の外観構成を示した斜視図である。
【図２】図１を用いた携帯端末の試験状態を示した平面図である。
【図３】この考案の他の実施の形態に係る携帯端末試験用シールド装置の外観構成を示した斜視図である。
【図４】この考案の他の実施の形態に係る携帯端末試験用シールド装置の外観構成を示した斜視図である。
【図５】この考案の他の実施の形態に係る携帯端末試験用シールド装置の外観構成を示した斜視図である。
【符号の説明】
【００４０】
１０…シールド部、１１…シールドケース、１２…シールド蓋、１２１…窓部、１３…無線結合器、１３１…位置決め部、１４…携帯端末、１４１…表示部、１４２…操作部、１５…外部接続コネクタ、１６…携帯端末テスタ、１７…同軸ケーブル、１８…シールドメッシュ材、２０…シールド袋、２１…端子板、３０…シールド袋、３１…取付け板、３２…端子板、３３…無線結合器、４０…シールド袋、４０１…収容部、４０２…線材、４１…取付け板、４２…端子板、４３…無線結合器。
【図１】
0003129925.tif 000003
【図２】
0003129925.tif 000004
【図３】
0003129925.tif 000005
【図４】
0003129925.tif 000006
【図５】
0003129925.tif 000007